(57)【要約】本発明は、紙幣の束をまとめるための、例えば銀行で使用することができる装置に係わる。本発明の紙幣の束を結束するための装置は、本体と、梱包材料のための容器と、前記梱包材料を供給するための手段と、紙幣の束を整えるための要素とを備える。前記梱包材料のための容器は箱状構造に形成され、前記梱包材料は、扁平な帯状リングの形態に形成されて前記容器内に積層されている。前記梱包材料を供給するための独創的な前記手段は、持ち上げユニットおよびその移動機構を備えた要素の形態で形成されている。前記紙幣の束を整えるための要素は紙幣の束をその縦軸方向に沿って変形させる態様で構成されるとともに、紙幣の束の位置を特定するためのセンサを備えている。前記紙幣の束を整えるための要素はまた持ち上げユニットを備えた前記要素の移動機構に接続されている。前記紙幣の束を整えるための要素と帯状リングの形態に形成された前記梱包材料のための前記容器は、前記変形された紙幣の束が前記容器から取出されたリングの中に挿入されるような態様で前記本体に互いに装着される。
2006507996.tif 000002
【特許請求の範囲】
【請求項１】
本体と、
梱包材料のための容器と、
前記梱包材料を供給するための手段と、
紙幣の束を整えるための要素と、
を備えた、紙幣の束を結束するための装置であって、
前記梱包材料のための容器は箱状構造に形成され、
前記梱包材料は、扁平な帯状リングの形態に形成されて前記容器内に積層されており、
前記梱包材料を供給するための独創的な前記手段は、持ち上げユニットおよびその移動機構を備えた要素の形態で形成され、
前記紙幣の束を整えるための要素は紙幣の束をその縦軸方向に沿って変形させる態様で構成されるとともに、紙幣の束の位置を特定するためのセンサを備え、
前記紙幣の束を整えるための要素は持ち上げユニットを備えた前記要素の移動機構に接続されており、
前記紙幣の束を整えるための要素と帯状リングの形態に形成された前記梱包材料のための前記容器は、前記変形された紙幣の束が前記容器から取出されたリングの中に挿入されるような態様で前記本体に互いに装着される、
紙幣の束を結束するための装置。
【請求項２】
前記紙幣の束を整えるための要素は管状ケーシングの形態に形成され、前記管状ケーシングは入口から出口へ向けて収束するとともにその側面の全長に亘り切れ目が入っており、この管状ケーシングにおいて紙幣の束は管状ケーシングに沿って移動しながら変形され、側面の前記切れ目から引き出される、
請求項１に記載の紙幣の束を結束するための装置。
【発明の詳細な説明】
【技術分野】
【０００１】
本発明は、紙幣の束をまとめるための、例えば銀行で使用することのできる装置に関する。
【背景技術】
【０００２】
有価証券の束（半券）を結束するための装置として、本体と、リールホルダ付きバンド駆動ユニットと、バンド長さを測定するためのパイプおよびセンサと、ループ形成ユニットとを備えるものが知られている。この装置はまた、溶接ヘッド付き溶接機構とバンドを切断するためのナイフとメカ駆動部と制御ユニットとを備える（特許文献１）。
【０００３】
ループ形成装置は半券を整えるためのステージを有し、横軸に対して回転可能に組立てられている。このステージには、アーバと、ばね付勢されたクランプアームと、ギアとを含む。揺動ステージは、揺動により付勢されたアームでバンドの端部をクランプするとともに、ループ形成の際に回転する役割を果たす。ステージの下面は溶接線を形成するためのものである。溶接機構は、カムギアを用いて前進する溶接ヘッドを有する。ループ形成機器および溶接機器は共通の駆動部を有し、駆動部のアーバには制御ユニットと接続する各ギアのカムとプログラムディスクが配置されている。
【０００４】
この構造が不利となる点とは、準備と最終とのいくつかの段階から成る複雑なループ形成プロセスによる、また、装置の個々のユニットおよび構成要素の厳密な配置の必要性による、装置の比較的効率の悪い製作方法にある。
【０００５】
紙幣を結束するためのより効率的な装置は、本体と、リールホルダ付きバンド駆動ユニットと、バンドの長さを測定するための閉塞ディスク付きのパイプとセンサと、ステージを有するループ形成ユニットと、溶接ヘッド付きの溶接機器と、バンド切断用ナイフと歯車駆動部とを備える。ここにおいて、ループ形成ユニットはパイプと仕切り壁によって環状に形成され、その中には半券用ステージがコンソールを用いて固定されている。溶接機器は本体の中に位置し、これを往復滑動させるための移動機械と一対のクランプを備える。バンド切断用ナイフは溶接ユニット本体の中に装着し、リールホルダは斜面の形状に形成されており、ループの経路の上で本体の上部に設置されている。溶接機器はループ形成ユニットのステージ直下で本体の中に位置して、制御ユニットに接続する直線滑動のセンサを有するプログラムバーを備えている（特許文献２）。
【０００６】
この工学的解決策は本発明の原型として捉えられる。  
これの不利な点は、紙幣の束の周長と正確に一致する周長を持つ既製のリングを用いて紙幣の束を結束することができない状況にある。このため装置の効率が低下する。この装置の基礎となる原理は、複雑なバンドの動きを伴う。すなわち、結束の過程でバンドをループにし、そのループをさらに締めつけ、その後にバンドを切り取る。この目的のために、複雑なバンド逆転駆動ユニットが機能する。正確なバンド長さの計測が必要であり、この目的のために閉塞ユニットがある。さらにバンド溶接のための複雑な機構が使用されている。このように、この装置はかなり複雑で、効率性が不十分であり、また紙幣の束の結束はプラスチック、例えばポリエチレンバンド、の溶接でのみ行われ、この装置で紙製バンドまたは既製の紙製リングは使用できない。
【特許文献１】露国特許第２，１２３，４６２号明細書
【特許文献２】露国特許第２，１６６，４６６号明細書
【発明の開示】
【発明が解決しようとする課題】
【０００７】
本発明の目的は、紙幣の束を結束するための、複雑でない、高性能で信頼性のある装置を作り出すことである。
【課題を解決するための手段】
【０００８】
本発明によると、紙幣の束を結束するための装置は、本体と、梱包材料のための容器と、前記梱包材料を供給するための手段と、紙幣の束を整えるための要素とを備える。前記梱包材料のための容器は箱状構造に形成され、前記梱包材料は、扁平な帯状リングの形態に形成されて前記容器内に積層されている。前記梱包材料を供給するための独創的な前記手段は、持ち上げユニットおよびその移動機構を備えた要素の形態で形成されている。前記紙幣の束を整えるための要素は紙幣の束をその縦軸方向に沿って変形させる態様で構成されるとともに、紙幣の束の位置を特定するためのセンサを備えている。前記紙幣の束を整えるための要素はまた持ち上げユニットを備えた前記要素の移動機構に接続されている。前記紙幣の束を整えるための要素と帯状リングの形態に形成された前記梱包材料のための前記容器は、前記変形された紙幣の束が前記容器から取出されたリングの中に挿入されるような態様で前記本体に互いに装着される。
【０００９】
前記紙幣の束を整えるための要素は管状ケーシングの形態に形成され、前記管状ケーシングは入口から出口へ向けて収束するとともにその側面の全長に亘り切れ目が入っており、この管状ケーシングにおいて紙幣の束は管状ケーシングに沿って移動しながら変形され、側面の前記切れ目から引き出される。
【００１０】
出願人は、上記で述べた工学的解決策に関するデータを含むような情報源を発見しなかった。このため、出願人の考えでは、本発明は「新規性がある」（Ｎ）の判定に適合すると結論付けられる。
【００１１】
記載された発明の特徴（請求項の限定部分に記載された特徴を含む）の実現は、対象物の本質的に新しい機能を作り出す条件となっているが、それは、大きさが紙幣の束の寸法と一致する既製の、主に紙製リングで紙幣の束を効率良く結束する可能性を提供し、これを受けてリングが束をしっかりと包み、またバンド取り付け手順が極めて簡単化されて、バンド取り付けに要する時間が最小限に削減さることである。
【００１２】
記載の状況により、記載の工学的解決策は「進歩性」（ＩＳ）の判定に適合すると結論付けられる。
【００１３】
以下にて本発明は、図面を参照してその実施形態についての詳細な説明により明らかにされている。
【発明を実施するための最良の形態】
【００１４】
本装置は、本体１と、箱状構造で底が開放されている容器２とを含む。容器２の中には、紙製リング３の形態に形成された梱包材料が扁平な状態で積重ねて置かれている。
【００１５】
梱包材料を供給するための装置は、外面に粘着テープがその粘着層を外側に向けて巻き付けられている、ローラ５の形態の持ち上げユニットを持つ要素４を備える。
【００１６】
ローラ５を用いた要素の移動機構は、軸７に装着したアーム６を備える。アーム６は、要素４と堅固に接続されている。紙幣の束を整えるための要素は、紙幣の束にその縦軸方向に対して変形を与える可能性を備えるように構成されている。具体的な実施例で、この要素は、入口９から出口１０へと収束する管状ケーシング８の形態で形成される。管状ケーシング８は、その側面に入口から出口までの全長に亘り切れ目１１が入っている。管状ケーシング８には、紙幣の束の位置を特定するためのセンサが設けられ、これは軸１３に対して回転できるように取り付けられたアーム１２の形態で機能する。このアーム１２は、機械的伝動機構によって、ローラ５を備えた要素４の移動機構と接続されている。その伝動機構は、軸１３に取り付けられた加圧要素１４およびアーム６に取り付けられた板ばね１５を備える。アーム６のもとの位置への復帰は、ばね１６を用いて行われる。容器２の下方部の出口端部には台１８が設置されている。
【００１７】
本装置は以下の通りに機能する。  
紙幣の束１７は、出口１０と比較して相対的に大きい、管状ケーシング８の入口９を通って送り込まれる。ここで、紙幣の束１７は変形して（図２）、その端部が管状ケーシング８の出口１０から出てくる。管状ケーシング８内を移動するとき、紙幣の束１７は紙幣の束の位置を特定するためのセンサを押圧するが、このセンサは軸１３に対して回転するアーム１２の形態に形成されている。ここで加圧要素１４は、回転してアーム６に取り付けられている板ばね１５を押圧する。アーム６が水平軸７に対して下向きに曲がるとともに、ローラ５を備えた要素４も下向きに下がる。管状ケーシング８の中に紙幣の束がない場合、ローラ５はばね１６を用いて容器２の中に位置するリング３の下側に来るようにされている。ローラ５が軸７に対して下方に動いて、要素４およびアーム６とともに移動すると、ローラ５の粘着テープの表面の粘着層が外向きに巻かれているために、ローラ５はリング３に沿って引きずられ、リング３は容器内の配置による扁平な状態から広げられた状態に変わり（図５）、リングの上部は台１８に保持されまたローラ５がリング下部を下向きに引き下ろすことにより、この状態で拘束される。管状ケーシング８の出口１０から出て来る側の紙幣の束１７の端部は、紙幣の束がさらに動くことにより、リング３の中に挿入される。次に、図１、２、５を見れば、紙幣の束は管状ケーシング８の切れ目１１を通って、管状ケーシング８の右側から引き出される。
【００１８】
リング３は紙幣の束に留まって束をきつく締め付ける。装置はばね１６を用いてもとの位置に復帰する。これで次の紙幣の束を結束するための準備が整う。管状ケーシング８の中に紙幣の束を送り込む方法と切れ目１１を通して管状ケーシング８から紙幣の束を引き出す方法とは、手動によって行うことができるし、簡単な機構を用いて自動化することもできる。
【産業上の利用可能性】
【００１９】
本手法を実現するためには、通常の簡単な産業用設備が利用され、これにより本発明が「産業上利用可能」（ＩＡ）の判定に適合すると結論付けられる。
【図面の簡単な説明】
【００２０】
【図１】正面図である。
【図２】図１の右側面図である。
【図３】紙幣の束を整えるための要素の拡大図である。
【図４】整えられた紙幣をともに示す、図３と同様の図である。
【図５】梱包材料の容器と梱包材料を供給するための装置の正面図である。
【符号の説明】
【００２１】
１    本体              ２    容器
３    紙製リング        ４    要素
５    ローラ            ６、１２  アーム
７、１３  軸            ８    管状ケーシング
９  入口                １０  出口
１１  切れ目            １４  加圧要素
１５  板ばね            １６  ばね
１７  束                １８  台
【図１】
2006507996.tif 000003
【図２】
2006507996.tif 000004
【図３】
2006507996.tif 000005
【図４】
2006507996.tif 000006
【図５】
2006507996.tif 000007
【国際調査報告】
2006507996.tif 000008
2006507996.tif 000009